【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
履歴期間中にプロセス制御システム内で生成されるプロセス制御データを取得することであって、前記プロセス制御データが、前記履歴期間中に起動されるアラームに関連付けられるアラームデータを含む、取得することと、
前記履歴期間のアラーム起動タイムラインを生成することであって、前記アラーム起動タイムラインが、前記アラームの起動の時間的関係を視覚的に表現するための前記アラームを表現するアイコンを含み、前記アイコンのうちの１つが、もはや起動していないアラームを表現する、生成することと、
前記アラーム起動タイムラインをデータベース内に記憶することと、を含む、方法。
【請求項２】
前記プロセス制御データが、前記履歴期間中に操作者によって取られた制御行為を示す操作者制御データを含む、請求項１に記載の方法。
【請求項３】
ユーザから前記履歴期間に関するコメントを受信することと、
前記コメントを、前記データベース内に記憶された前記アラーム起動タイムラインと関連付けることと、を更に含む、請求項１または２に記載の方法。
【請求項４】
前記プロセス制御システムを実質的に実時間で監視して、実時間アラームデータを受信することと、
前記プロセス制御システム内で起動中のアラームの時間的関係を視覚的に表現するための起動中アラームタイムラインを生成することと、
前記実時間アラームデータを追加のプロセス制御データとして記憶することと、を更に含む、請求項１〜３のいずれか一項に記載の方法。
【請求項５】
前記アラーム起動タイムラインに関連付けられるタイムスケール上に表現される副時間間隔の継続時間を定義する時間の基本増分単位のユーザ選択を受信することであって、前記副時間間隔のそれぞれの間に起動される前記アラームを表現する前記アイコンが、前記副時間間隔の他のものの間に起動される前記アラームを表現する前記アイコンとは別個に、前記アラーム起動タイムラインを介した表示のためにグループ化される、受信することと、
前記アラーム起動タイムラインについての前記時間の基本増分単位及び利用可能な空間の幅に基づいて、前記タイムスケールのタイムスパンを決定することと、
前記タイムスケールにより前記アラーム起動タイムラインを表示することと、を更に含む、請求項１〜４のいずれか一項に記載の方法。
【請求項６】
履歴期間中にプロセス制御システム内で生成されるプロセス制御データを取得することであって、前記プロセス制御データが、前記履歴期間中に起動されるアラームに関連付けられるアラームデータを含む、取得することと、
前記履歴期間のアラーム起動タイムラインを生成することであって、前記アラーム起動タイムラインが、前記アラームの起動の時間的関係を視覚的に表現するための前記アラームを表現するアイコンを含み、前記アイコンのうちの１つが、もはや起動していないアラームを表現する、生成することと、
を行うためのアラーム起動タイムライン生成器と、
前記アラーム起動タイムラインを記憶するためのアラーム起動タイムラインデータベースと、を備える装置。
【請求項７】
前記プロセス制御データが、前記履歴期間中に操作者によって取られた制御行為を示す操作者制御データを含む、請求項６に記載の装置。
【請求項８】
ユーザから前記履歴期間に関するコメントを受信することと、
前記コメントを、前記アラーム起動タイムラインデータベース内に記憶された前記アラーム起動タイムラインと関連付けることと、を行うためのアラーム提示モジュールを更に備える、請求項６または７に記載の装置。
【請求項９】
前記プロセス制御システムを実質的に実時間で監視して、実時間アラームデータを受信するための通信インターフェースであって、前記実時間アラームデータが、追加のプロセス制御データとして記憶される、通信インターフェースと、
前記プロセス制御システム内で起動中のアラームの時間的関係を視覚的に表現する起動中アラームタイムラインを生成するための起動中アラームタイムライン生成器と、を更に備える、請求項６〜８のいずれか一項に記載の装置。
【請求項１０】
ユーザによって選択される時間の基本増分単位に基づいて、前記アラーム起動タイムラインに関連付けられるタイムスケール上に表現される副時間間隔の継続時間を定義するためのタイムスケール生成器であって、前記副時間間隔のそれぞれの間に起動される前記アラームを表現する前記アイコンが、前記副時間間隔の他のものの間に起動される前記アラームを表現する前記アイコンとは別個に、前記アラーム起動タイムラインを介した表示のためにグループ化され、前記タイムスケール生成器が、前記アラーム起動タイムラインについての前記時間の基本増分単位及び利用可能な空間の幅に基づいて、前記タイムスケールのタイムスパンを更に決定する、タイムスケール生成器と、
前記タイムスケールにより前記アラーム起動タイムラインを表示するためのアラーム提示モジュールと、を更に備える、請求項６〜９のいずれか一項に記載の装置。
【請求項１１】
命令であって、実行されると、機械に、
履歴期間中にプロセス制御システム内で生成されるプロセス制御データを取得することであって、前記プロセス制御データが、前記履歴期間中に起動されるアラームに関連付けられるアラームデータを含む、取得することと、
前記履歴期間のアラーム起動タイムラインを生成することであって、前記アラーム起動タイムラインが、前記アラームの起動の時間的関係を視覚的に表現するための前記アラームを表現するアイコンを含み、前記アイコンのうちの１つが、もはや起動していないアラームを表現する、生成することと、
前記アラーム起動タイムラインをデータベース内に記憶することと、を行わせる命令を含む、有形コンピュータ可読記憶媒体。
【請求項１２】
前記命令が、前記機械に、前記アラーム起動タイムライン内で、前記履歴期間中に操作者によって取られた制御行為のタイミングを図的に表現することを更に行わせる、請求項１１に記載の記憶媒体。
【請求項１３】
前記命令が、前記機械に、
実時間アラームデータに基づいて、プロセス制御システム内で起動中のアラームの時間的関係を視覚的に表現するための起動中アラームタイムラインを生成することと、
前記実時間アラームデータに基づく第１のアラームのパターンを、前記履歴期間の前記プロセス制御データに基づく第２のアラームのパターンと比較することと、
前記第１のアラームのパターンと前記第２のアラームのパターンとの間の類似度を算出することと、を更に行わせる、請求項１１または１２に記載の記憶媒体。
【請求項１４】
前記命令が、前記機械に、
前記アラーム起動タイムラインに関連付けられるタイムスケール上に表される副時間間隔の継続時間を定義する時間の基本増分単位のユーザ選択を受信することであって、前記副時間間隔のそれぞれの間に起動される前記アラームを表現する前記アイコンが、前記副時間間隔の他のものの間に起動される前記アラームを表現する前記アイコンとは別個に、前記アラーム起動タイムラインを介した表示のためにグループ化される、受信することと、
前記アラーム起動タイムラインについての前記時間の基本増分単位及び利用可能な空間の幅に基づいて、前記タイムスケールのタイムスパンを決定することと、
前記タイムスケールにより前記アラーム起動タイムラインを表示することと、を更に行わせる、請求項１１〜１３のいずれか一項に記載の記憶媒体。
【請求項１５】
前記命令が、前記機械に、
前記タイムスケールに沿って主要時間間隔の境界を画定することであって、各主要時間間隔が、前記副時間間隔のうちの少なくとも２つを含む、境界を画定することと、
前記主要時間間隔をラベル付けすることであって、前記主要時間間隔のうちのいくつかが、１分のゼロ秒マーク、１時間のゼロ分マーク、操作者シフト変更、深夜１２時、または正午のうちの少なくとも１つに対応する時点と揃えられる、ラベル付けすることと、を更に行わせる、請求項１４に記載の記憶媒体。
【請求項１６】
前記主要時間間隔及び前記副時間間隔のそれぞれが、１秒、５秒、１５秒、３０秒、１分、５分、１０分、１５分、３０分、１時間、２時間、３時間、４時間、６時間、８時間、１２時間、または１日のうちの少なくとも１つに対応する一般的に使用される時間分割に関連付けられる、請求項１５に記載の記憶媒体。